(57)【要約】【課題】送水動力と熱損失の低減を図ることができる空調システムおよび空調システムの制御方法を提供する。【解決手段】冷水または温水が流れる熱交換器１２によって加熱または冷却された温調水を入口配管１４を介して空調手段１６に供給するとともに、空調手段１６から流出した温調水を出口配管１８を介して熱交換器１２へ流す循環回路２０を有する空調システム１０において、熱交換器１２の一次側の冷水または温水の流量を制御する熱量コントローラ２２と、循環回路２０の温調水の流量を制御する流量コントローラ２４とを備えるようにする。【選択図】図１
2015206568.tif 000002
【特許請求の範囲】
【請求項１】
冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムにおいて、
前記熱交換器の一次側の冷水または温水の流量を制御する熱量コントローラと、
前記循環回路の温調水の流量を制御する流量コントローラとを備えることを特徴とする空調システム。
【請求項２】
流量コントローラは、前記入口配管の温調水の入口温度と、前記出口配管の温調水の出口温度との温度差を計測する計測部と、
前記計測部により計測された現在の温度差とそれ以前に計測された所定の温度差とを比較することにより、温度差の変動傾向を判定する判定部と、
前記判定部による判定に基づいて、前記循環回路の温調水の流量を制御する制御部とを有することを特徴とする請求項１に記載の空調システム。
【請求項３】
熱量コントローラは、前記空調手段にあらかじめ設定された設定温度と空調対象空間の現在温度とを計測する計測部と、
前記計測部により計測された設定温度と現在温度とに基づいて、前記熱交換器の一次側の冷水または温水の流量を制御する制御部とを有することを特徴とする請求項１または２に記載の空調システム。
【請求項４】
冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムの制御方法において、
前記熱交換器の一次側の冷水または温水の流量を制御する一方、
前記循環回路の温調水の流量を制御することを特徴とする空調システムの制御方法。
【請求項５】
前記入口配管の温調水の入口温度と、前記出口配管の温調水の出口温度との温度差を計測し、計測した現在の温度差とそれ以前に計測した所定の温度差とを比較することにより、温度差の変動傾向を判定し、この判定に基づいて、前記循環回路の温調水の流量を制御することを特徴とする請求項４に記載の空調システムの制御方法。
【請求項６】
前記空調手段にあらかじめ設定された設定温度と空調対象空間の現在温度とに基づいて、前記熱交換器の一次側の冷水または温水の流量を制御することを特徴とする請求項４または５に記載の空調システムの制御方法。
【発明の詳細な説明】
【技術分野】
【０００１】
本発明は、例えば、冷温水による熱交換を行う放射パネル空調システムなどの空調システムおよび空調システムの制御方法に関するものである。
【背景技術】
【０００２】
従来、冷温水による熱交換を行う放射パネル空調システムなどの空調システムが知られている（例えば、特許文献１、２を参照）。従来の一般的な放射パネル空調システムは、図７および図８に示すように、空調対象とする室内１の天井裏等に設置した放射パネル２の配管３に、送水ポンプ４および制御弁５を介して冷房期は冷水を、暖房期は温水を流すことで、放射パネルからの放射（放射熱）による伝熱現象から室温を制御するものである。ここで、図８に示すように、放射パネル２の配管３と一次側熱源とは熱交換器６を介して接続される。熱交換器６の一次側の送水ポンプ７および制御弁８は一定出力にて、あるいは別個に制御される。
【０００３】
このシステムでは、例えば冷房期には所望の冷房能力を得るために、コントローラ９が室温をもとに送水ポンプ４の出力および制御弁５の開度を制御して流量調整を行うが、現状で一般に用いられているＡＨＵ（エアハンドリングユニット）を用いる空調システムと同様の制御手法では、単純に設定温度に比べて室温が高いときに流量を増加させ、室温が設定温度を下回るときに流量を制限する、あるいは止めるような挙動となる。つまり、この制御手法では、熱交換器６の動作とは必ずしも連携しない。
【０００４】
ここで、放射パネル空調システムの正味の冷房能力は、以下の式および図９に示すように、配管入口と出口の流水の温度差ΔＴと流量Ｆの積に基づいて定まる。
【０００５】
冷房能力［ｋＷ］＝α×（流水の出入口温度差ΔＴ［℃］）×（流量Ｆ［ｌ／ｈ］）
ただし、αは単位換算係数［ｋＷ／（ｋｃａｌ／ｈ）］である。
【０００６】
図９に示すように、配管中の水温はそれぞれ主に、入口温度は熱交換器６の能力（一次側の水温および流量）に、出口温度は室温に影響を受ける。
【０００７】
ここで、室温に基づく従来制御では、配管中の水温の状態にかかわらず流量を決定してしまう。いま、空調開始時などにおいて、室温や熱交換器一次側の動作が安定しない状態、つまり配管の入口温度および出口温度が設定値に達していない場合や入口温度と出口温度との温度差が設計値に満たない場合を想定したとき、従来制御のもとでは、流量過多となり余分な送水ポンプ動力を消費してしまう、あるいは空調能力を十分に引き出せないおそれがある。また、熱交換器の挙動不安定を助長し、一次側熱源を共有している他の空調システムに悪影響をもたらす事態や、熱源の効率低下による熱損失を招くおそれもある。この様子を図１０を用いて説明する。
【０００８】
図１０（１）に示すように、空調開始時などの室温や熱交換器一次側の動作が安定しない状態において、流量が一定の場合には送水ポンプ動力は一定であることから、除去熱量の飽和時には必要以上の動力を消費することとなる。また、図１０（２）、（３）に示すように、除去熱量が変動する場合には、熱交換器の性能の不安定化を招き、送水温度の不安定化をもたらすこととなる。
【先行技術文献】
【特許文献】
【０００９】
【特許文献１】特開２００４−２３３０２３号公報
【特許文献２】特開２０１２−２４７１１０号公報
【発明の概要】
【発明が解決しようとする課題】
【００１０】
このため、上述した問題を解消して、空調システムの持つポテンシャルを無駄なく最大限に発揮することができる技術が求められていた。
【００１１】
本発明は、上記に鑑みてなされたものであって、送水動力と熱損失の低減を図ることができる空調システムおよび空調システムの制御方法を提供することを目的とする。
【課題を解決するための手段】
【００１２】
上記した課題を解決し、目的を達成するために、本発明に係る空調システムは、冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムにおいて、前記熱交換器の一次側の冷水または温水の流量を制御する熱量コントローラと、前記循環回路の温調水の流量を制御する流量コントローラとを備えることを特徴とする。
【００１３】
また、本発明に係る他の空調システムは、上述した発明において、流量コントローラは、前記入口配管の温調水の入口温度と、前記出口配管の温調水の出口温度との温度差を計測する計測部と、前記計測部により計測された現在の温度差とそれ以前に計測された所定の温度差とを比較することにより、温度差の変動傾向を判定する判定部と、前記判定部による判定に基づいて、前記循環回路の温調水の流量を制御する制御部とを有することを特徴とする。
【００１４】
また、本発明に係る他の空調システムは、上述した発明において、熱量コントローラは、前記空調手段にあらかじめ設定された設定温度と空調対象空間の現在温度とを計測する計測部と、前記計測部により計測された設定温度と現在温度とに基づいて、前記熱交換器の一次側の冷水または温水の流量を制御する制御部とを有することを特徴とする。
【００１５】
また、本発明に係る空調システムの制御方法は、冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムの制御方法において、前記熱交換器の一次側の冷水または温水の流量を制御する一方、前記循環回路の温調水の流量を制御することを特徴とする。
【００１６】
また、本発明に係る他の空調システムの制御方法は、上述した発明において、前記入口配管の温調水の入口温度と、前記出口配管の温調水の出口温度との温度差を計測し、計測した現在の温度差とそれ以前に計測した所定の温度差とを比較することにより、温度差の変動傾向を判定し、この判定に基づいて、前記循環回路の温調水の流量を制御することを特徴とする。
【００１７】
また、本発明に係る他の空調システムの制御方法は、上述した発明において、前記空調手段にあらかじめ設定された設定温度と空調対象空間の現在温度とに基づいて、前記熱交換器の一次側の冷水または温水の流量を制御することを特徴とする。
【発明の効果】
【００１８】
本発明に係る空調システムによれば、冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムにおいて、前記熱交換器の一次側の冷水または温水の流量を制御する熱量コントローラと、前記循環回路の温調水の流量を制御する流量コントローラとを備えるので、冷房能力や暖房能力などの空調能力の必要量は、熱量コントローラによる熱交換器の一次側の流量制御によって調整され、空調手段に温調水を流す循環回路の流量制御によって直接的に調整されない。この結果、熱交換器の一次側の動作を安定したものとすることができ、循環回路の温調水の送水動力を低減することができる。したがって、空調システムの持つポテンシャルの活用を図るとともに、送水動力と熱損失の低減を図ることができるという効果を奏する。
【００１９】
また、本発明に係る他の空調システムによれば、流量コントローラは、前記入口配管の温調水の入口温度と、前記出口配管の温調水の出口温度との温度差を計測する計測部と、前記計測部により計測された現在の温度差とそれ以前に計測された所定の温度差とを比較することにより、温度差の変動傾向を判定する判定部と、前記判定部による判定に基づいて、前記循環回路の温調水の流量を制御する制御部とを有するので、冷房能力や暖房能力などの空調能力を、入口温度と出口温度の温度差の変動傾向に応じて、循環回路の温調水の流量制御によって微調整することができるという効果を奏する。
【００２０】
また、本発明に係る他の空調システムによれば、熱量コントローラは、前記空調手段にあらかじめ設定された設定温度と空調対象空間の現在温度とを計測する計測部と、前記計測部により計測された設定温度と現在温度とに基づいて、前記熱交換器の一次側の冷水または温水の流量を制御する制御部とを有するので、冷房能力や暖房能力などの空調能力の必要量を、計測された設定温度と現在温度とに基づいて、熱量コントローラによる熱交換器の一次側の流量制御によって調整することができるという効果を奏する。
【００２１】
また、本発明に係る空調システムの制御方法によれば、冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムの制御方法において、前記熱交換器の一次側の冷水または温水の流量を制御する一方、前記循環回路の温調水の流量を制御するので、冷房能力や暖房能力などの空調能力の必要量は、熱交換器の一次側の流量制御によって調整され、空調手段に温調水を流す循環回路の流量制御によって直接的に調整されない。この結果、熱交換器の一次側の動作を安定したものとすることができ、循環回路の温調水の送水動力を低減することができる。したがって、空調システムの持つポテンシャルの活用を図るとともに、送水動力と熱損失の低減を図ることができるという効果を奏する。
【００２２】
また、本発明に係る他の空調システムの制御方法によれば、前記入口配管の温調水の入口温度と、前記出口配管の温調水の出口温度との温度差を計測し、計測した現在の温度差とそれ以前に計測した所定の温度差とを比較することにより、温度差の変動傾向を判定し、この判定に基づいて、前記循環回路の温調水の流量を制御するので、冷房能力や暖房能力などの空調能力を、入口温度と出口温度の温度差の変動傾向に応じて、循環回路の温調水の流量制御によって微調整することができるという効果を奏する。
【００２３】
また、本発明に係る他の空調システムの制御方法によれば、前記空調手段にあらかじめ設定された設定温度と空調対象空間の現在温度とに基づいて、前記熱交換器の一次側の冷水または温水の流量を制御するので、冷房能力や暖房能力などの空調能力の必要量を、計測された設定温度と現在温度とに基づいて、熱交換器の一次側の流量制御によって調整することができるという効果を奏する。
【図面の簡単な説明】
【００２４】
【図１】図１は、本発明に係る空調システムおよび空調システムの制御方法の実施の形態を示すブロック図である。
【図２】図２は、本発明に係る空調システムおよび空調システムの制御方法の実施の形態を示す熱量コントローラのフローチャート図である。
【図３】図３は、本発明に係る空調システムおよび空調システムの制御方法の実施の形態を示す流量コントローラのフローチャート図である。
【図４】図４は、送水流量の経時変化を比較した図であり、（１）は従来技術の場合、（２）は本発明の場合の図である。
【図５】図５は、空調能力（送水温度）の経時変化を比較した図であり、（１）は従来技術の場合、（２）は本発明の場合の図である。
【図６】図６は、空調能力（除去熱量）の経時変化を比較した図であり、（１）は従来技術の場合、（２）は本発明の場合の図である。
【図７】図７は、従来の放射パネル空調システムの概略斜視図である。
【図８】図８は、従来の放射パネル空調システムのブロック図である。
【図９】図９は、従来の放射パネル空調システムの冷房能力に影響を与える因子を説明する図である。
【図１０】図１０は、従来の放射パネル空調システムの空調開始時などの様子の一例を示す図であり、（１）は送水流量の経時変化、（２）は送水温度の経時変化、（３）は除去熱量の経時変化である。
【発明を実施するための形態】
【００２５】
以下に、本発明に係る空調システムおよび空調システムの制御方法の実施の形態を図面に基づいて詳細に説明する。なお、この実施の形態によりこの発明が限定されるものではない。
【００２６】
本発明は、例えば屋内空調等を目的とした設備の中で、冷温水の熱交換により室温を制御するものや、設備機能の一部として熱交換を行うものについて、冷温水の送水動力や熱損失の低減を図る流量制御に関するものである。
【００２７】
また、本発明は、上述した室内に直接伝熱する放射パネル空調システムのみではなく、加熱、冷却や除湿などの目的のもと、冷温水による熱交換を部分的に持つあらゆるシステムに応用できるが、以降、簡単のために、冷房期の放射パネル空調システムを例に挙げて説明する。
【００２８】
図１に示すように、本発明に係る空調システム１０は、冷水が流れる熱交換器１２によって冷却された温調水を入口配管１４を介して放射パネル１６（空調手段）に備わる図示しない配管に供給するとともに、放射パネル１６の図示しない配管から流出した温調水を出口配管１８を介して熱交換器１２へ流す循環回路２０を有し、熱量コントローラ２２と流量コントローラ２４とを備えるものである。
【００２９】
（熱量コントローラ）
熱量コントローラ２２は、熱交換器１２の一次側の冷水の流量を送水ポンプ３０および制御弁３２を介して制御するものであり、計測部２２Ａと制御部２２Ｂとを有する。
【００３０】
計測部２２Ａは、空調システム１０にあらかじめ設定された設定温度と空調対象空間である室温（現在温度）とを計測するものであり、例えば室温を計測する室内センサを用いて構成することができる。制御部２２Ｂは、計測部２２Ａにより計測された設定温度と室温とに基づいて、熱交換器１２の一次側の冷水の流量を送水ポンプ３０および制御弁３２を介して制御するものである。
【００３１】
ここで、本発明では、冷房能力の必要量は、この熱量コントローラ２２による熱交換器１２の一次側の動作により調整し、放射パネル１６に備わる配管に供給するための送水ポンプ２６や制御弁２８を室温制御に直接的には用いない。
【００３２】
この熱量コントローラ２２による制御フローについて、図２のフローチャートを用いて説明する。
【００３３】
図２に示すように、熱量コントローラ２２は、計測部２２Ａによって設定温度を取得するとともに、現在の室温を計測する（ステップＳ１）。その後、制御部２２Ｂにより熱交換器１２の一次側の動作を決定し、送水ポンプ３０の出力および制御弁３２の弁開度を調整することで、熱交換器１２の一次側の冷水の流量を制御する（ステップＳ２）。
【００３４】
このようにすることで、冷房能力の必要量を、計測された設定温度と現在の室温とに基づいて、熱量コントローラ２２による熱交換器１２の一次側の流量制御によって調整することができる。
【００３５】
（流量コントローラ）
流量コントローラ２４は、循環回路２０の温調水の流量を、入口配管１４に設けた送水ポンプ２６および制御弁２８を介して制御し、これにより放射パネル１６に備わる配管の流量を制御するものである。この流量コントローラ２４は、計測部２４Ａと、判定部２４Ｂと、制御部２４Ｃと、記憶部２４Ｄとを有する。
【００３６】
計測部２４Ａは、入口配管１４の温調水の入口温度と、出口配管１８の温調水の出口温度との温度差を計測するものである。判定部２４Ｂは、計測部２４Ａにより計測された現在の温度差とそれ以前に計測された所定の温度差とを比較することにより、温度差の変動傾向を判定するものである。制御部２４Ｃは、判定部２４Ｂによる判定に基づいて、循環回路２０の温調水の流量を送水ポンプ２６および制御弁２８を介して制御するものである。記憶部２４Ｄは、計測部２４Ａにより計測された温度差（例えば前回に計測された温度差）の情報を記憶・蓄積するものである。
【００３７】
この流量コントローラ２４による制御フローについて、図３のフローチャートを用いて説明する。
【００３８】
図３に示すように、まず、計測部２４Ａにおいて、流水（温調水）の配管出入口温度差ΔＴ（温度差）について、設定した所定の時間間隔で測定する（ステップＳ１０）。この時間間隔としては、流水が循環回路２０を一巡する時間間隔程度か、あるいはそれより長い時間間隔に設定することが好ましい。また、このステップＳ１０において、前回までの計測により得られた温度差ΔＴｐｒｅ（それ以前に計測された所定の温度差）を後述の記憶部２４Ｄより取得する。
【００３９】
次に、判定部２４Ｂにおいて、ΔＴ−ΔＴｐｒｅを演算して閾値との比較を行い、この比較結果に応じて温度差ΔＴの変動傾向を判定する（ステップＳ１１）。より具体的には、あらかじめ設定した閾値Ｔｔｈ１とＴｔｈ２を基準とし、温度差ΔＴが拡大する傾向にあるか、縮小する傾向にあるか、一定の範囲内に留まる傾向にあるかを判定する。
【００４０】
ここで、ΔＴ−ΔＴｐｒｅ＞Ｔｔｈ１の場合には、温度差が拡大する傾向にあると判定する。この場合、その時点の流量で、保有する冷房能力を持て余している状態を意味する。そこで、判定部２４Ｂは循環回路２０の流量の増加を決定し、流量増加に係る指令信号を制御部２４Ｃに送信する（ステップＳ１２）。
【００４１】
一方、Ｔｔｈ２＜ΔＴ−ΔＴｐｒｅ＜Ｔｔｈ１の場合には、温度差が一定の範囲内に留まる傾向にあると判定する。この場合、その時点の流量で、保有する冷房能力を過不足なく発揮している状態を意味する。そこで、判定部２４Ｂは循環回路２０の流量の維持を決定し、必要に応じて流量維持に係る指令信号を制御部２４Ｃに送信する（ステップＳ１３）。
【００４２】
他方、ΔＴ−ΔＴｐｒｅ＜Ｔｔｈ２の場合には、温度差が縮小する傾向にあると判定する。この場合、その時点の流量で、要求される冷房能力に対して流量過多である状態を意味する。そこで、判定部２４Ｂは循環回路２０の流量の減少を決定し、流量減少に係る指令信号を制御部２４Ｃに送信する（ステップＳ１４）。
【００４３】
次に、制御部２４Ｃでは、判定部２４Ｂからの指令信号に基づいて、循環回路２０の入口配管１４に設けられた送水ポンプ２６の出力および制御弁２８の弁開度を決定し、送水ポンプ２６の出力および制御弁２８の弁開度を調整することで循環回路２０の温調水の流量を制御する（ステップＳ１５）。
【００４４】
ステップＳ１５の処理の後、記憶部２４Ｄでは、計測部２４Ａによる次回の計測で必要となるΔＴｐｒｅを演算し、この情報を記憶・蓄積する（ステップＳ１６）。記憶部２４Ｄに記憶・蓄積された情報は、計測部２４ＡによるステップＳ１０の処理の際に読み出されることとなる。なお、上記のΔＴｐｒｅとしては、直前（前回）に計測されたΔＴそのものや、それまでに計測されたΔＴの任意の時間平均値などを用いることができる。
【００４５】
流量コントローラ２４が上記のような処理を実行することで、冷房能力を、入口温度と出口温度の温度差の変動傾向に応じて、循環回路２０の温調水の流量制御で微調整することができる。
【００４６】
図４〜図６は、本発明による効果の説明図であり、それぞれ（１）は従来技術の場合、（２）は本発明の場合を示している。図４に示すように、本発明における送水流量は、従来技術のように一定の流量ではなく、その時々で過不足のない適正な流量を実現すべくきめ細かく制御されることから、時間的に変動したものとなる。この結果、従来技術に比べて斜線ハッチングで示す部分だけ送水動力を低減することが可能となる。
【００４７】
また、図５に示すように、本発明の空調能力に係る送水温度（循環回路２０の出口温度、入口温度）の上下変動幅は、従来技術に比べて小さく抑制されたものとなる。この結果、従来技術に比べて送水温度を安定的にすることが可能となる。
【００４８】
また、図６に示すように、本発明の空調能力に係る除去熱量の上下変動幅についても、従来技術に比べて小さく抑制され、時間的に平準化されたものとなる。この結果、一次側熱源の動作安定化と効率向上が図られ、図５に示したように送水温度の安定化を助長する。したがって、本発明によれば、空調システムの持つポテンシャル活用が図られ、送水ポンプの動力節減、熱交換器一次側の動作安定化といった複合的な効果が得られる。
【００４９】
このように、本発明に係る空調システム１０によれば、冷房能力の必要量は、熱量コントローラ２２による熱交換器１２の一次側の流量制御によって調整され、放射パネル１６に温調水を流す循環回路２０の流量制御によって直接的に調整されない。この結果、熱交換器１２の一次側の動作を安定したものとすることができ、循環回路２０の温調水の送水動力を低減することができる。したがって、空調システム１０の持つポテンシャルの活用を図るとともに、送水動力と熱損失の低減を図ることができるという効果を奏する。
【００５０】
なお、本発明は、空調システムの冷房能力を決定するための基本となる制御手段または制御方法を限定するものではなく、室温由来のオンオフ制御やＰＩＤ制御をはじめ、室内空間の状態推定を要するモデル予測制御などと汎用的に組み合わせて実現可能である。
【００５１】
以上説明したように、本発明に係る空調システムによれば、冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムにおいて、前記熱交換器の一次側の冷水または温水の流量を制御する熱量コントローラと、前記循環回路の温調水の流量を制御する流量コントローラとを備えるので、冷房能力や暖房能力などの空調能力の必要量は、熱量コントローラによる熱交換器の一次側の流量制御によって調整され、空調手段に温調水を流す循環回路の流量制御によって直接的に調整されない。この結果、熱交換器の一次側の動作を安定したものとすることができ、循環回路の温調水の送水動力を低減することができる。したがって、空調システムの持つポテンシャルの活用を図るとともに、送水動力と熱損失の低減を図ることができる。
【００５２】
また、本発明に係る他の空調システムによれば、流量コントローラは、前記入口配管の温調水の入口温度と、前記出口配管の温調水の出口温度との温度差を計測する計測部と、前記計測部により計測された現在の温度差とそれ以前に計測された所定の温度差とを比較することにより、温度差の変動傾向を判定する判定部と、前記判定部による判定に基づいて、前記循環回路の温調水の流量を制御する制御部とを有するので、冷房能力や暖房能力などの空調能力を、入口温度と出口温度の温度差の変動傾向に応じて、循環回路の温調水の流量制御によって微調整することができる。
【００５３】
また、本発明に係る他の空調システムによれば、熱量コントローラは、前記空調手段にあらかじめ設定された設定温度と空調対象空間の現在温度とを計測する計測部と、前記計測部により計測された設定温度と現在温度とに基づいて、前記熱交換器の一次側の冷水または温水の流量を制御する制御部とを有するので、冷房能力や暖房能力などの空調能力の必要量を、計測された設定温度と現在温度とに基づいて、熱量コントローラによる熱交換器の一次側の流量制御によって調整することができる。
【００５４】
また、本発明に係る空調システムの制御方法によれば、冷水または温水が流れる熱交換器によって加熱または冷却された温調水を入口配管を介して空調手段に供給するとともに、前記空調手段から流出した温調水を出口配管を介して前記熱交換器へ流す循環回路を有する空調システムの制御方法において、前記熱交換器の一次側の冷水または温水の流量を制御する一方、前記循環回路の温調水の流量を制御するので、冷房能力や暖房能力などの空調能力の必要量は、熱交換器の一次側の流量制御によって調整され、空調手段に温調水を流す循環回路の流量制御によって直接的に調整されない。この結果、熱交換器の一次側の動作を安定したものとすることができ、循環回路の温調水の送水動力を低減することができる。したがって、空調システムの持つポテンシャルの活用を図るとともに、送水動力と熱損失の低減を図ることができる。
【００５５】
また、本発明に係る他の空調システムの制御方法によれば、前記入口配管の温調水の入口温度と、前記出口配管の温調水の出口温度との温度差を計測し、計測した現在の温度差とそれ以前に計測した所定の温度差とを比較することにより、温度差の変動傾向を判定し、この判定に基づいて、前記循環回路の温調水の流量を制御するので、冷房能力や暖房能力などの空調能力を、入口温度と出口温度の温度差の変動傾向に応じて、循環回路の温調水の流量制御によって微調整することができる。
【００５６】
また、本発明に係る他の空調システムの制御方法によれば、前記空調手段にあらかじめ設定された設定温度と空調対象空間の現在温度とに基づいて、前記熱交換器の一次側の冷水または温水の流量を制御するので、冷房能力や暖房能力などの空調能力の必要量を、計測された設定温度と現在温度とに基づいて、熱交換器の一次側の流量制御によって調整することができる。
【産業上の利用可能性】
【００５７】
以上のように、本発明に係る空調システムおよび空調システムの制御方法は、冷温水による熱交換を行う放射パネル空調システムなどの空調システムに有用であり、特に、空調システムの持つポテンシャルを無駄なく最大限に発揮して、送水動力と熱損失の低減を図るのに適している。
【符号の説明】
【００５８】
１０  空調システム
１２  熱交換器
１４  入口配管
１６  放射パネル（空調手段）
１８  出口配管
２０  循環回路
２２  熱量コントローラ
２２Ａ  計測部
２２Ｂ  制御部
２４  流量コントローラ
２４Ａ  計測部
２４Ｂ  判定部
２４Ｃ  制御部
２４Ｄ  記憶部
２６，３０  送水ポンプ
２８，３２  制御弁
【図１】
2015206568.tif 000003
【図２】
2015206568.tif 000004
【図３】
2015206568.tif 000005
【図４】
2015206568.tif 000006
【図５】
2015206568.tif 000007
【図６】
2015206568.tif 000008
【図７】
2015206568.tif 000009
【図８】
2015206568.tif 000010
【図９】
2015206568.tif 000011
【図１０】
2015206568.tif 000012